(57)【特許請求の範囲】
【請求項１】
壁面とか天井面等の固定面に面する対向面を有して前記固定面に固定される側部と、
前記対向面と略直交する前面を有してその前面に積算電力計等の機器類を取り付ける取付部が設けられた前面板部と、
前記前面板部の背面側に、その前面板部から前記側部に渡って設けられて、内側が、前記前面板部に設けられる貫通孔と前記側部に設けられる引出し孔とを連通する、ケーブル等の配設経路となる、背面カバー部とを、備えることを特徴とする、機器類取付体。
【請求項２】
前記側部と前記背面カバー部とが合成樹脂により一体成形された本体と、
前記本体とは別体であって、前記前面板部を形成し前記本体に取り付けられる前面板体とを、備えることを特徴とする、請求項１に記載の機器類取付体。
【請求項３】
前記側部と前記前面板部とが合成樹脂により一体成形された本体と、
前記本体とは別体であって、前記背面カバー部を形成し前記本体に取り付けられる背面カバー体とを、備えることを特徴とする、請求項１に記載の機器類取付体。
【請求項４】
前記側部における前記対向面および前記前面板部における前記前面に直交する中央の面に関し、対称に形成されていることを特徴とする、請求項１に記載の機器類取付体。
【請求項５】
前記本体は、前記側部における前記対向面および前記前面板部における前記前面に直交する中央の面に関し、対称に形成されていることを特徴とする、請求項２または３に記載の機器類取付体。
【発明の詳細な説明】
【技術分野】
【０００１】
この発明は、壁面等に積算電力計とか漏電遮断器等の機器類を取り付けるための機器類取付体に関するものである。
【背景技術】
【０００２】
従来、建物の壁面に積算電力計を壁面の向く方向と直交する方向を向くように取り付けるための、取付体があった（例えば、特許文献１参照）。図１１に示すように、この取付体１１は、機器類としての積算電力計が取り付けられる前面板体１２と、取付補助部材１３とからなっていた。ここで、前面板体１２は、方形平板形状であって、その前面の取付部１２ａに積算電力計（図示せず）が取り付けられた。そして、この前面板体１２には、その下部に、除去することでケーブルが通る貫通孔１２ｂが形成されるノックアウト部１２ｃが設けられていた。一方、取付補助部材１３は、建物の壁面１４に固定される平板状の被固定部１３ａと、その被固定部１３ａの上部および下部から立設された支持片１３ｂとから構成されていた。そして、この支持片１３ｂに前記前面板体１２が、被固定部１３ａと直交する方向を向くように取り付けられた。ここにおいて、積算電力計から建物内へと配線されるケーブルは、前面板体１２に形成される貫通孔１２ｂを通過して背面側に廻されて壁面１４から建物内へと導入された。
【先行技術文献】
【特許文献】
【０００３】
【特許文献１】意匠登録第１１０１６２５号公報（意匠に係る物品の説明、使用状態参考図１）
【発明の概要】
【発明が解決しようとする課題】
【０００４】
ところで、前記従来の取付体１１にあっては、積算電力計から建物内へ配線されるケーブルは、積算電力計の背面側において露出状態となっており、非常に見苦しいものであった。
【０００５】
この発明は、上記した従来の欠点を解決するためになされたものであり、その目的とするところは、機器類を見栄えよく取り付けることができる機器類取付体を提供することにある。
【課題を解決するための手段】
【０００６】
この発明に係る機器類取付体は、前記目的を達成するために、次の構成からなる。すなわち、
請求項１に記載の発明に係る機器類取付体は、壁面とか天井面等の固定面に面する対向面を有して前記固定面に固定される側部と、前記対向面と略直交する前面を有してその前面に積算電力計等の機器類を取り付ける取付部が設けられた前面板部と、前記前面板部の背面側に、その前面板部から前記側部に渡って設けられて、内側が、前記前面板部に設けられる貫通孔と前記側部に設けられる引出し孔とを連通する、ケーブル等の配設経路となる、背面カバー部とを、備える。
【０００７】
この機器類取付体によると、側部が、壁面とか天井面等の固定面に固定される。そして、前面板部は、側部の、固定面に面する対向面に対し、略直交する前面を有し、その前面に設けられた取付部に積算電力計等の機器類が取り付けられる。すなわち、機器類は、固定面の向く方向と略直交する方向となる前方を向くように取り付けられる。ここで、この前面板部の背面側には、前面板部から側部に渡る背面カバー部が設けられている。そして、この背面カバー部の内側は、前面板部における貫通孔と側部における引出し孔とを連通する、ケーブル等の配設経路となっている。これにより、機器類に接続されたケーブル等が、前面板部の貫通孔を貫通し、前面板部の背面側を通って、側部の引出し孔を貫通するよう配設されると、ケーブル等は、前面板部の背面側においては、背面カバー部の内側の配設経路を通る。すなわち、前面板部の背面側では、ケーブル等は、背面カバー部で覆われることとなる。
【０００８】
また、請求項２に記載の発明に係る機器類取付体は、請求項１に記載の機器類取付体において、前記側部と前記背面カバー部とが合成樹脂により一体成形された本体と、前記本体とは別体であって、前記前面板部を形成し前記本体に取り付けられる前面板体とを、備える。これにより、本体とは別体の前面板体を複数種類用意しておけば、本体を変えることなく、前面板体を複数種類の中から選択することで、種々の機器類に対応させることができる。
【０００９】
また、請求項３に記載の発明に係る機器類取付体は、請求項１に記載の機器類取付体において、前記側部と前記前面板部とが合成樹脂により一体成形された本体と、前記本体とは別体であって、前記背面カバー部を形成し前記本体に取り付けられる背面カバー体とを、備える。これにより、本体を固定面に対して配置した後とか、さらには、機器類を本体の前面板部に取り付けた後であっても、背面カバー体のない状態で、ケーブル等の配設を行うことができ、この配設を容易に行うことができる。
【００１０】
また、請求項４に記載の発明に係る機器類取付体は、請求項１に記載の機器類取付体において、前記側部における前記対向面および前記前面板部における前記前面に直交する中央の面に関し、対称に形成される。これにより、固定面が鉛直面である場合には、機器類取付体を、上下を逆にすることで、この機器類取付体を左右のどちらの固定面にも配置することができる。
【００１１】
また、請求項５に記載の発明に係る機器類取付体は、請求項２または３に記載の機器類取付体において、前記本体は、前記側部における前記対向面および前記前面板部における前記前面に直交する中央の面に関し、対称に形成される。これにより、固定面が鉛直面である場合には、本体を、上下を逆にすることで、この本体、ひいては機器類取付体を左右のどちらの固定面にも配置することができる。
【発明の効果】
【００１２】
この発明に係る機器類取付体によれば、前面板部の背面側では、ケーブル等は、背面カバー部で覆われ、このため、ケーブル等の露出を避けて、機器類を見栄えよく取り付けることができる。
【図面の簡単な説明】
【００１３】
【図１】この発明の一実施の形態の斜視図である。
【図２】同じく、横断面図である。
【図３】同じく、本体の斜視図である。
【図４】同じく、本体の横断面図である。
【図５】同じく、本体の左側面図である。
【図６】同じく、図５におけるＡ−Ａ線による断面図である。
【図７】同じく、前面板体の斜視図である。
【図８】この発明の他の実施の形態の斜視図である。
【図９】同じく、本体の斜視図である。
【図１０】同じく、背面カバー体の斜視図である。
【図１１】従来の取付体を示す分解斜視図である。
【発明を実施するための形態】
【００１４】
以下、この発明に係る機器類取付体を実施するための形態を図面に基づいて説明する。
【００１５】
図１〜図７は、本発明の一実施の形態を示す。図中符号１は、壁面とか天井面等の固定面（図示実施の形態においては、建物の壁面）である。２は、機器類取付体であって、固定面１に、機器類、例えば、積算電力計等の計器類、漏電遮断器、その他の電気機器類等（図示せず）を、固定面１の向く方向と直交する方向を向くように取り付けるためのものである。
【００１６】
機器類取付体２は、固定面１に固定される側部３と、機器類が取り付けられる前面板部４と、背面カバー部５とを備える。ここで、側部３は、固定面１に面する対向面３ａを有する。前面板部４は、側部３における対向面３ａと略直交する前面４ａを有して、その前面４ａに機器類を取り付ける取付部４ｂが設けられる。背面カバー部５は、前面板部４の背面側に、その前面板部４から側部３に渡って設けられる。そして、背面カバー部５は、その内側が、前面板部４に設けられる貫通孔４ｃと側部３に設けられる引出し孔３ｂとを連通する、ケーブル等の配設経路２ａとなる。
【００１７】
詳細には、機器類取付体２は、前記側部３と前記背面カバー部５とが合成樹脂により一体成形された本体２ｘと、その本体２ｘとは別体であって、前記前面板部４を形成し本体２ｘに取り付けられる（詳しくは、着脱可能に取り付けられる）前面板体４０１とを、備える。ここにおいて、本体２ｘは、側部３における対向面３ａおよび前面板部４における前面４ａに直交する中央の面２ｃ（図５参照）に関し、対称に形成されている。
【００１８】
具体的には、側部３は、略方形形状（図示実施の形態においては、上下に長手となる略長方形形状）をしており、側板３ｃと、その側板３ｃの周縁から前記固定面１側に延設された周縁リブ３ｄとを備える。そこで、側板３ｃに前記引出し孔３ｂが設けられる。詳しくは、この引出し孔３ｂの周縁からは固定面１側に向かって筒部３ｅが延設されており、この筒部３ｅの内側を含めた空間が前記引出し孔３ｂとなっている。また、この引出し孔３ｂは、複数設けられており、これら引出し孔３ｂ、３ｂは、円形状とか長孔状とかの形状を有する。さらに、側板３ｃには、側部３を固定面１に固定するために、ビスが進入する固定孔３ｆ、３ｆが設けられている。詳しくは、側板３ｃには、固定面１側に向かって柱状部３ｇ、３ｇが延設されており、この柱状部３ｇ部分に、前記固定孔３ｆが設けられている。そして、周縁リブ３ｄと筒部３ｅと柱状部３ｇとの先端面が、面一となって、前記対向面３ａを構成している。
【００１９】
背面カバー部５は、側部３（詳しくは、側板３ｃ）の前辺を除く周縁から、前記固定面１とは反対側に延設されて形成されて、この背面カバー部５と側部３とによって、前方に開放する開口２ｄが形成される。すなわち、背面カバー部５は、前記配設経路２ａの後方に位置する背板５ａと、配設経路２ａの上方および下方に位置する上板５ｂおよび下板５ｃとを備える。ここにおいて、背板５ａは、側部３（詳しくは、側板３ｃ）から離れるほど、前方に向かうように傾斜して形成されており、特に、基端側は、外側に凹となるよう湾曲して形成され、先端側は、外側に凸となるよう湾曲して形成されている。
【００２０】
そこで、これら側部３と背面カバー部５とは、前述したように合成樹脂により一体成形され、前記開口２ｄの周縁には、前面板体４０１を取付け固定するための固定部２ｅが設けられる。詳しくは、この固定部２ｅには、ナット２ｆが設けられており、このナット２ｆに、前面板体４０１を取り付けるためのビス６が螺入する。
【００２１】
前面板体４０１は、方形形状（図示実施の形態においては、上下に長手となる長方形形状）をしており、その前面４ａの、外周枠４ｅおよび下部を除く部分が、機器類が取り付けられる取付部４ｂとなっている。この取付部４ｂには、多数の凹部４ｄが近接して形成されており、この凹部４ｄにねじ込まれるビスにより、機器類は、取付部４ｂに固定される。また、前面板体４０１の前面４ａの、外周枠４ｅを除いた下部には、ノックアウト部４ｆが設けられている。そして、このノックアウト部４ｆを除去することによりケーブル等が通る前述の貫通孔４ｃが形成される。また、前面板体４０１の外周枠４ｅには、孔４ｇが設けられており、この孔４ｇを通って本体２ｘにおける固定部２ｅのナット２ｆにねじ込まれるビス６により、前面板体４０１は、開口２ｄを閉じるように本体２ｘに固定される。
【００２２】
ところで、側部３の周縁リブ３ｄの上下の辺には、ノックアウト部３ｈが設けられ、背面カバー部５の上板５ｂおよび下板５ｃには、ノックアウト部５ｄが設けられており、このノックアウト部３ｈ、５ｄを適宜除去することで、その除去により形成される孔にケーブル等を通すことができる。
【００２３】
次に、以上の構成からなる機器類取付体２の作用効果について説明する。この機器類取付体２によると、側部３が、壁面とか天井面等の固定面１に固定される。そして、前面板体４０１（前面板部４）は、側部３の、前記固定面１に面する対向面３ａに対し、略直交する前面４ａを有し、その前面４ａに設けられた取付部４ｂに積算電力計等の機器類が取り付けられる。つまり、機器類は、固定面１の向く方向と略直交する方向となる前方を向くように取り付けられる。ここで、この前面板体４０１の背面側には、前面板体４０１から側部３に渡る背面カバー部５が設けられている。そして、この背面カバー部５の内側は、前面板体４０１における貫通孔４ｃと側部３における引出し孔３ｂとを連通する、ケーブル等の配設経路２ａとなっている。これにより、機器類に接続されたケーブル等が、前面板体４０１の貫通孔４ｃを貫通し、前面板体４０１の背面側を通って、側部３の引出し孔３ｂを貫通するよう配設され、さらには、固定面１から例えば建物内へと導入される。このとき、ケーブル等は、前面板体４０１の背面側においては、背面カバー部５の内側の配設経路２ａを通る。すなわち、前面板体４０１の背面側では、ケーブル等は、背面カバー部５で覆われることとなる。このため、この機器類取付体２により、ケーブル等の露出を避けて、機器類を見栄えよく取り付けることができる。
【００２４】
また、この機器類取付体２を、特に屋外で用いる場合には、背面カバー部５を設けることで、前面板体４０１（前面板部４）の背面側において、ケーブル等は、雨風の影響を受けることがなく、また、そのケーブル等には埃等がたまりにくい。
【００２５】
また、この機器類取付体２は、側部３と背面カバー部５とが、合成樹脂により一体成形されて本体２ｘとなり、前面板部４が、別体の前面板体４０１となっている。このことから、本体２ｘとは別体の前面板体４０１を複数種類用意しておけば、本体２ｘを変えることなく、前面板体４０１を複数種類の中から選択することで、種々の機器類に対応させることができる。そして、場合によっては、本体２ｘを用いることなく前面板体４０１のみを用いて、その前面板体４０１を直接固定面１に固定し、前面板体４０１の前面４ａに設けられた取付部４ｂに機器類を取り付ければ、機器類は、固定面１の向く方向と同一の方向を向くように取り付けられる。
【００２６】
また、本体２ｘは、側部３における対向面３ａおよび前面板部４における前面４ａに直交する中央の面２ｃに関し、対称に形成されている（図１、図５、図６参照）。このため、固定面１が鉛直面である場合には、本体２ｘを、上下を逆にすることで、この本体２ｘ、ひいては機器類取付体２を左右のどちらの固定面１にも配置することができる。
【００２７】
また、背面カバー部５と前面板体４０１（前面板部４）との間に形成されるケーブル等の配設経路２ａは、側部３とは反対側が、その奥行方向の幅が狭く、側部３側に向かうにつれて奥行方向の幅が広くなるように形成されている。このため、前面板体４０１（前面板部４）から側部３へとケーブル等が配設されるスペースが有効に形成され、機器類取付体２全体の大きさも小さくすることができる。
【００２８】
なお、本発明は、上述した実施の形態に限定されるわけではなく、その他種々の変更が可能である。例えば、機器類取付体２は、側部３と背面カバー部５とが合成樹脂により一体成形されて、前面板部４が別体となっていなくとも、図８〜図１０に示すように、側部３と前面板部４とが合成樹脂により一体成形されて、背面カバー部５が別体となってもよい。すなわち、機器類取付体２は、側部３と前面板部４とが合成樹脂により一体成形された本体２ｙと、その本体２ｙとは別体であって、背面カバー部５を形成し本体２ｙに取り付けられる背面カバー体５０１とを、備えてもよい。この構成により、本体２ｙを固定面１に対して配置した後とか、さらには、機器類を本体２ｙの前面板部４に取り付けた後であっても、背面カバー体５０１のない状態で、ケーブル等の配設を行うことができ、この配設を容易に行うことができる。また、この際、例えば、前面板部４に形成されたノックアウト部４ｆを上下対称となるように上側にも設けることで、本体２ｙを、側部３における対向面３ａおよび前面板部４における前面４ａに直交する中央の面２ｃに関し、対称に形成してもよい。そして、このように本体２ｙを対称に形成することで、固定面１が鉛直面である場合に、本体２ｙを、上下を逆にすることで、この本体２ｙ、ひいては機器類取付体２を左右のどちらの固定面１にも配置することができる。
【００２９】
また、機器類取付体２は、側部３と前面板部４と背面カバー部５とが別々の部材からなっていてもよく、また、背面カバー部５の一部が側部３と一体成形され、背面カバー部５の他の部分が前面板部４と一体成形されたりするように、どのように分割されてもよく、また、機器類取付体２は、側部３に設けられる引出し孔３ｂを、側部３の外周近くに達するような一つの大きな孔とすること等により、側部３と前面板部４と背面カバー部５との全体を一部材で形成（例えば、合成樹脂により一体成形）してもよい。
【００３０】
また、ケーブル等とは、ケーブルの他にそのケーブルを保護する保護管を含むものであるが、背面カバー部５の内側（つまりは、機器類取付体２の内側）の配設経路２ａでは、保護管は必ずしも必要ではなく、また、機器類取付体２の外側を含めて保護管が設けられなくともよい。
【００３１】
また、以上に示す各実施の形態において、機器類取付体２は、側部３における対向面３ａおよび前面板部４における前面４ａに直交する中央の面に関し、対称に形成されてもよい。これにより、固定面１が鉛直面である場合には、機器類取付体２を、上下を逆にすることで、この機器類取付体２を左右のどちらの固定面１にも配置することができる。
【符号の説明】
【００３２】
１  固定面
２  機器類取付体
２ａ  配設経路
２ｃ  中央の面
２ｘ、２ｙ  本体
３  側部
３ａ  対向面
３ｂ  引出し孔
４  前面板部
４ａ  前面
４ｂ  取付部
４ｃ  貫通孔
４０１  前面板体
５  背面カバー部
５０１  背面カバー体
【図１】
0005400574.tif 000002
【図２】
0005400574.tif 000003
【図３】
0005400574.tif 000004
【図４】
0005400574.tif 000005
【図５】
0005400574.tif 000006
【図６】
0005400574.tif 000007
【図７】
0005400574.tif 000008
【図８】
0005400574.tif 000009
【図９】
0005400574.tif 000010
【図１０】
0005400574.tif 000011
【図１１】
0005400574.tif 000012